(57)【要約】【課題】額縁面積を狭くした場合に、ノイズ除去の効果が低減することを抑制し得るタッチパネルシステムおよび電子機器を提供する。【解決手段】タッチパネルシステムは、タッチパネル（３）に配置された各センスラインのそれぞれからの信号の差分を増幅するＫ個の差動増幅器（１２ａ）と、（Ｍ＋Ｌ＋Ｎ）個の入力端子（Ｉｎｐ）を有するフェーズ切替部（１１）とを備え（（Ｍ＋Ｎ＋Ｌ）＝（２Ｋ＋１）の関係）、Ｍ本の第１センス配線（ＳＷＦ）が１番目からＭ番目、Ｌ本の両側配線（ＤＲＷ）が（Ｍ＋１）番目から（Ｍ＋Ｌ）番目、Ｎ本の第２センス配線（ＳＷＳ）が（Ｍ＋Ｌ＋１）番目から（Ｍ＋Ｌ＋Ｎ）番目に配置された入力端子に接続される。【選択図】図１
2019003378.tif 000002
【特許請求の範囲】
【請求項１】
タッチパネルに配置されたＭ本の第１センスラインとＮ本の第２センスラインと（Ｍ、Ｎは複数）Ｌ本の両側配線センスライン（Ｌは１以上の整数）とからの信号の差分を増幅するＫ個の差動入力増幅回路と（Ｋは、（Ｍ＋Ｎ＋Ｌ）＝（２Ｋ＋１）を満足する整数）、
前記Ｍ本の第１センスラインに対応するＭ本の第１配線と、前記Ｌ本の両側配線センスラインに対応するＬ本の両側配線と、前記Ｎ本の第２センスラインに対応するＮ本の第２配線とが接続される（Ｍ＋Ｌ＋Ｎ）個の入力端子と、前記Ｋ個の差動入力増幅回路に対応する（２×Ｋ）個の出力端子とを有する切替回路とを備え、
前記Ｍ本の第１配線が１番目からＭ番目に配置された入力端子に接続され、前記Ｌ本の両側配線が（Ｍ＋１）番目から（Ｍ＋Ｌ）番目に配置された入力端子に接続され、前記Ｎ本の第２配線が（Ｍ＋Ｌ＋１）番目から（Ｍ＋Ｌ＋Ｎ）番目に配置された入力端子に接続されることを特徴とするタッチパネルシステム。
【請求項２】
前記第１センスラインが第１方向に沿って前記タッチパネルから引き出されて前記第１配線に接続され、
前記第２センスラインが前記第１方向とは逆の第２方向に沿って前記タッチパネルから引き出されて前記第２配線に接続されることを特徴とする請求項１に記載のタッチパネルシステム。
【請求項３】
前記両側配線は、前記第１方向に沿って前記タッチパネルから引き出され、前記第１配線に沿った経路にて延びる第１経路配線と、前記第２方向に沿って前記タッチパネルから引き出され、前記第２配線に沿った経路にて延びる第２経路配線とが合流する配線合流部を備えていることを特徴とする請求項２に記載のタッチパネルシステム。
【請求項４】
請求項１〜３のいずれか一項に記載のタッチパネルシステムを備えることを特徴とする電子機器。
【発明の詳細な説明】
【技術分野】
【０００１】
本発明は、タッチパネルシステムおよびそれを備えた電子機器に関する。
【背景技術】
【０００２】
従来、スマートフォンやタブレット等、指やペンによる入力操作が可能なタッチパネルシステムを備える電子機器が広く普及している。また、タッチパネルの方式としては、タッチ面における静電容量の変化によってタッチを検出する静電容量方式が多く使用されている。
【０００３】
このようなタッチパネルシステムは、通常、表示装置の上部（前面）に、タッチパネルが積層された構造となっている。このため、タッチパネル上に設けられたセンサは、表示装置に発生するクロック等のノイズだけでなく、その他外来のノイズの影響を受けやすい。このようなノイズは、タッチ操作の検出感度の低下につながる。
【０００４】
例えば、特許文献１に記載のタッチパネルシステムは、互いに隣接するセンスラインの信号の差分を算出する減算部を備え、上記ノイズを減算する処理を行っている。このようなノイズキャンセルの方式は、差動読出方式と呼ばれることがある。
【０００５】
また、近年、電子機器の本体サイズを変えることなく表示画面のサイズを大きくするために、表示画面の周囲に存在する額縁面積をできるだけ狭くすることが要望されている。
【０００６】
ここで、一般に、静電容量方式のタッチパネルにおけるタッチセンサは、複数本のセンスラインと、それらに直交する複数本のドライブラインとを備えており、これら複数本のセンスラインおよびドライブラインから配線が引き出される。複数本のセンスラインの配線を全て、タッチセンサの同じ側から引き出す場合、該配線の引き回し面積が広くなる。そのため、額縁面積を狭くすることが難しい。
【先行技術文献】
【特許文献】
【０００７】
【特許文献１】特開２０１３−９２８７２号公報（２０１３年５月１６日公開）
【特許文献２】特開２０１２−１８５７５１号公報（２０１２年９月２７日公開）
【特許文献３】特開２０１５−１１８５３７号公報（２０１５年６月２５日公開）
【特許文献４】特開２０１５−１４８９４２号公報（２０１５年８月２０日公開）
【発明の概要】
【発明が解決しようとする課題】
【０００８】
特許文献１に記載のタッチパネルシステムでは、配線をどのように引き出すかは想定されておらず、額縁面積を狭くするためにタッチセンサの異なる側から配線を引き出した場合、配線経路（配線の長さ）が大きく異なり得る。そのような配線の影響によってノイズ除去の効果が低減し得るという問題がある。
【０００９】
また、タッチセンサの異なる側から配線を引き出すタッチパネルの例として、特許文献２には、タッチセンサの上半分の複数本のセンスラインの配線をタッチセンサの一方の側から引き出し、下半分の複数本のセンスラインの配線を他方の側から引き出す構造のタッチパネルが記載されている。また、特許文献３および特許文献４には、タッチセンサの左右から配線を交互に引き出す構造のタッチパネルが記載されている。このように配線を引き出す場合、額縁面積を狭くし易い。
【００１０】
しかしながら、特許文献２〜４に記載のタッチパネルは、上述した差動読出方式によるノイズキャンセルを行うことについて想定されておらず、該ノイズキャンセルを行うとしても、特許文献１に記載のタッチパネルシステムと同様の問題を有する。
【００１１】
本発明は、上記従来の問題点に鑑みなされたものであって、その目的は、額縁面積を狭くした場合にノイズ除去の効果が低減することを抑制し得るタッチパネルシステムおよび電子機器を提供することを目的とする。
【課題を解決するための手段】
【００１２】
上記の課題を解決するために、本発明の一態様におけるタッチパネルシステムは、タッチパネルに配置されたＭ本の第１センスラインとＮ本の第２センスラインと（Ｍ、Ｎは複数）Ｌ本の両側配線センスライン（Ｌは１以上の整数）とからの信号の差分を増幅するＫ個の差動入力増幅回路と（Ｋは、（Ｍ＋Ｎ＋Ｌ）＝（２Ｋ＋１）を満足する整数）、前記Ｍ本の第１センスラインに対応するＭ本の第１配線と、前記Ｌ本の両側配線センスラインに対応するＬ本の両側配線と、前記Ｎ本の第２センスラインに対応するＮ本の第２配線とが接続される（Ｍ＋Ｌ＋Ｎ）個の入力端子と、前記Ｋ個の差動入力増幅回路に対応する（２×Ｋ）個の出力端子とを有する切替回路とを備え、前記Ｍ本の第１配線が１番目からＭ番目に配置された入力端子に接続され、前記Ｌ本の両側配線が（Ｍ＋１）番目から（Ｍ＋Ｌ）番目に配置された入力端子に接続され、前記Ｎ本の第２配線が（Ｍ＋Ｌ＋１）番目から（Ｍ＋Ｌ＋Ｎ）番目に配置された入力端子に接続されることを特徴としている。
【００１３】
また、上記の課題を解決するために、本発明の一態様における電子機器は、前記記載のタッチパネルシステムを備えていることを特徴としている。
【発明の効果】
【００１４】
本発明の一態様によれば、額縁面積を狭くした場合にノイズ除去の効果が低減することを抑制し得るタッチパネルシステムおよび電子機器を提供することができるという効果を奏する。
【図面の簡単な説明】
【００１５】
【図１】（ａ）は、本発明の実施形態１におけるタッチパネルシステムの基本構成を示す概略図であり、（ｂ）は、タッチパネルからの信号の流れを説明するための模式図である。
【図２】（ａ）は、上記タッチパネルシステムの配線構造を模式的に示す図であり、（ｂ）は、スイッチが（ａ）とは逆の入力端子を選択するように切り替わった状態における要部拡大図である。
【図３】上記タッチパネルシステムの基本処理であるノイズキャンセル処理を示すフローチャートである。
【図４】上記タッチパネルシステムにおける額縁面積の低減について説明するための平面図である。
【図５】本発明の実施形態２におけるタッチパネルシステムの配線構造を模式的に示す図であり、（ｂ）は、スイッチが（ａ）とは逆の入力端子を選択するように切り替わった状態における要部拡大図である。
【図６】本発明の実施形態３におけるタッチパネルシステムの配線構造を模式的に示す図であり、（ｂ）は、スイッチが（ａ）とは逆の入力端子を選択するように切り替わった状態における要部拡大図である。
【図７】従来の差動読出方式のノイズキャンセル機能を有するタッチパネルシステムの構造を概略的に示す模式図である。
【図８】従来のタッチパネルシステムの配線構造の一例を概略的に示す模式図である。
【図９】（ａ）は、従来のタッチパネルシステムにおけるタッチパネルの片側から配線を引き出した場合の配線構造を模式的に示す図であり、（ｂ）は、スイッチが（ａ）とは逆の端子を選択するように切り替わった状態における要部拡大図である。
【図１０】（ａ）は、従来のタッチパネルシステムにおけるタッチパネルの両側から配線を引き出した場合の配線構造を模式的に示す図であり、（ｂ）は、スイッチが（ａ）とは逆の端子を選択するように切り替わった状態における要部拡大図である。
【図１１】差分信号処理済みの信号を用いて算出された、タッチパネルの中央部の差分マップである。
【発明を実施するための形態】
【００１６】
以下、本発明の実施形態について、図面を参照して詳細に説明する。なお、以下では、説明の便宜上、上下左右の方向について次のように規定して説明する。すなわち、図面の紙面における面内方向において、図番が記載されている側を「上」、その反対側を「下」とし、図面を見るときの左側を「左」、右側を「右」とする。また、紙面に垂直な、読者側の方向を「前方」（または「手前側」）とし、その反対側を「後方」（または「奥側」）とする。つまり、例えば、以下の説明における上方向とは、格別の記載が無い限り、空間的な上（鉛直方向の上）に限定されず、その他の方向についても同様である。
【００１７】
〔実施形態１〕
本発明の一実施形態におけるタッチパネルシステムの理解を容易にするために、始めに、従来のタッチパネルシステムおよびその問題点について、図７〜１１を参照して、より詳しく説明する。なお、後述する本実施形態のタッチパネルシステムの説明において、記載を省略することがある基本的な構成については、以下に説明する従来のタッチパネルシステムの説明を適宜参照して理解することも可能である。
【００１８】
＜従来のタッチパネルシステム＞
図７は、従来の差動読出方式のノイズキャンセル機能を有するタッチパネルシステム１００の構造を概略的に示す模式図である。図７に示すように、タッチパネルシステム１００は、表示装置１１０とタッチパネルコントローラ１３０とを備え、表示装置１１０が含むタッチパネル１２０から引き出された複数本の配線がタッチパネルコントローラ１３０に接続されている。
【００１９】
タッチパネル１２０は、投影型静電容量方式のセンサ部１２１を備えている。センサ部１２１は、複数本のセンスライン１２３（図７では８本）と、センスライン１２３に直交する複数本のドライブライン１２５（図７では５本）とを含む。センスライン１２３およびドライブライン１２５は、線状電極により形成されている。センスライン１２３とドライブライン１２５とは互いに絶縁され、容量結合されている。ドライブライン１２５には、タッチパネルシステム１００の動作中に、一定周期で電位が印加される。
【００２０】
以下では、８本のセンスライン１２３からなるセンス配列を、配列（１）〜（８）として区別して説明する。
【００２１】
タッチパネルコントローラ１３０は、入力側から順にスイッチ１３１、減算部１３２、記憶部１３３ａ〜１３３ｄを備えている。スイッチ１３１は、複数本のセンスライン１２３から減算部１３２に入力される信号を切り替える。より詳細には、スイッチ１３１は、上下に２つの端子を備えており、一方の端子が選択される。図７は、スイッチ１３１が下側の端子を選択した状態である。
【００２２】
減算部１３２は、スイッチ１３１で選択された配列（１）〜（８）の信号の差分信号処理を行う。すなわち、減算部１３２は、隣接するセンスライン１２３間の差分信号処理を行う。例えば、図７のように、スイッチ１３１により下側の端子が選択されている場合、減算部１３２は、配列（８）−配列（７）、配列（６）−配列（５）、配列（４）−配列（３）、および配列（２）−配列（１）の各差分信号処理を行う。一方、図示しないが、スイッチ１３１により上側の端子が選択されている場合、減算部１３２は、配列（７）−配列（６）、配列（５）−配列（４）、および配列（３）−配列（２）の各差分信号処理を行う。
【００２３】
記憶部１３３ａ〜１３３ｄは、スイッチ１３１により一方の端子が選択された場合の減算部１３２による差分処理された信号（差分処理信号）を記憶する。なお、スイッチ１３１により他方の端子が選択された場合、差分処理信号は、記憶部１３３ａ〜１３３ｄを経由せず、直接出力される。
【００２４】
タッチパネルシステム１００は、このような差分信号処理を行うことにより、多様な種類のノイズを除去することができる。
【００２５】
ここで、タッチパネルシステム１００の実際の配線構造としては、タッチパネル１２０からタッチパネルコントローラ１３０へと配線が引き回されている。そのため、この配線の引き回しに起因する問題が生じ得る。この問題について、図面に基づいて以下に説明する。
【００２６】
図８は、従来のタッチパネルシステム１００の配線構造の一例を概略的に示す模式図である。図８に示すように、タッチパネルシステム１００は、表示装置１１０の下側にタッチパネルコントローラ１３０が配置された構造となっている。そして、センスライン１２３の配線が全て右側から引き出され、該配線は、表示装置１１０の外縁とタッチパネル１２０との間の額縁領域Ａ１０１を引き回されてタッチパネルコントローラ１３０に接続されている。なお、以下に説明することは、タッチパネル１２０の奥側にタッチパネルコントローラ１３０が配置され、配線がフレキシブルケーブル等を介して湾曲して手前側から奥側に延びているような配線の引き回し構造であっても同じことである。
【００２７】
この場合、額縁領域Ａ１０１における配線の引き回し面積が多く必要であるとともに、タッチパネル１２０を表示装置１１０の中央部に配置するために、配線が無い部分の額縁領域Ａ１０２も設ける必要がある。そのため、額縁領域Ａ１０１・Ａ１０２を狭くすることが難しく、タッチパネル１２０の面積、すなわち表示画面領域Ａ１００をさらに大きくすることが困難であるという問題がある。
【００２８】
そこで、この問題を解決するために、例えば、タッチパネル１２０の左右の２辺からそれぞれ配線を引き出すと、配線を引き回すための領域をタッチパネル１２０の両側に設けることができ、額縁領域Ａ１０１・Ａ１０２を狭くすることができる。
【００２９】
しかしながら、このようにして額縁領域Ａ１０１・Ａ１０２を狭くしようとすると、差分信号処理によるノイズ除去の効果が低下し得るという新たな問題が発生することを本発明者らは見出した。この問題について、図９および図１０に基づいて説明する。
【００３０】
図９の（ａ）は、従来のタッチパネルシステム１００におけるタッチパネル１２０の片側（図の右側）から配線を引き出した場合の配線構造を模式的に示す図であり、（ｂ）は、スイッチ１３１が（ａ）とは逆の端子を選択するように切り替わった状態における要部拡大図である。なお、配線の引き回し構造を見やすくするために、タッチパネル１２０の右下方向にスイッチ１３１が位置するように図示している。このことは本明細書の以下の説明においても同様である。
【００３１】
図９の（ａ）に示すように、タッチパネル１２０は、センスライン１２３として２０本のセンスラインＳＬ０〜ＳＬ１９を含んでいる。タッチパネル１２０は、センスラインＳＬ０〜ＳＬ１９のそれぞれに対応するセンス配線ＳＷ０〜ＳＷ１９によってスイッチ１３１と接続されている。図９の（ａ）は、スイッチ１３１が上側の端子を選択した状態である。
【００３２】
スイッチ１３１には、上から下へと順番にセンス配線ＳＷ０〜ＳＷ１９が接続されており、さらに、センス配線ＳＷ１９の下にサブセンス配線ＳＸＷが接続されている。このサブセンス配線ＳＸＷは、ノイズを検出するための図示しない基準電位を備えるサブセンスラインと接続されている。
【００３３】
また、減算部１３２は、１０個の差動増幅器１３２１〜１３３０を備えている。差動増幅器１３２１は、図９の（ａ）の状態において、センスラインＳＬ０とセンスラインＳＬ１との間の差分信号処理を行い、図９の（ｂ）の状態において、センスラインＳＬ１とセンスラインＳＬ２との間の差分信号処理を行う。差動増幅器１３２２〜１３２９も同様に、隣接するセンスラインの差分信号処理を行う。差動増幅器１３３０は、図９の（ａ）の状態において、センスラインＳＬ１８とセンスラインＳＬ１９との間の差分信号処理を行い、図９の（ｂ）の状態において、センスラインＳＬ１９とサブセンスラインとの間の差分信号処理を行う。
【００３４】
このようなタッチパネルシステム１００を用いて、多様な種類のノイズを除去することができる。その一方で、このような配線構造の場合、額縁領域Ａ１０１（図８参照）の面積が広くなってしまう。
【００３５】
そこで、タッチパネル１２０の左右（両側）から配線が引き出される配線構造とすることが考えられる。図１０の（ａ）は、従来のタッチパネルシステム１００におけるタッチパネル１２０の両側から配線を引き出した場合の配線構造を模式的に示す図であり、（ｂ）は、スイッチ１３１が（ａ）とは逆の端子を選択するように切り替わった状態における要部拡大図である。
【００３６】
タッチパネル１２０の上半分に配置された１０本のセンスラインＳＬ０〜ＳＬ９のそれぞれに対応するセンス配線ＳＷ０〜ＳＷ９は、タッチパネル１２０の右側から引き出されて、スイッチ１３１に接続されている。また、タッチパネル１２０の下半分に配置された１０本のセンスラインＳＬ１０〜ＳＬ１９のそれぞれに対応するセンス配線ＳＷ１０〜ＳＷ１９は、タッチパネル１２０の左側から引き出され、引き回されてスイッチ１３１に接続されている。
【００３７】
このように配線を引き出すことによれば、図９の場合に比べて、額縁領域Ａ１０１・Ａ１０２の大きさを半分程度にすることができる。
【００３８】
ここで、タッチパネル１２０の中央部において隣接する、センスラインＳＬ９およびセンスラインＳＬ１０に注目する。センスラインＳＬ９のセンス配線ＳＷ９は右側に、センスラインＳＬ１０のセンス配線ＳＷ１０は左側にそれぞれ引き出されている。
【００３９】
図１０の（ａ）の状態において、差動増幅器１３２５は、センスラインＳＬ８とセンスラインＳＬ９との間の差分信号処理を行い、差動増幅器１３２６は、センスラインＳＬ１０とセンスラインＳＬ１１との間の差分信号処理を行う。この場合、センスラインＳＬ８とセンスラインＳＬ９との配線経路の差、およびセンスラインＳＬ１０とセンスラインＳＬ１１との配線経路の差は小さいため、差分信号処理によるノイズ除去に特に問題は生じない。
【００４０】
これに対して、スイッチ１３１が下側の端子を選択した、図１０の（ｂ）の状態において、差動増幅器１３２５は、センスラインＳＬ９とセンスラインＳＬ１０との間の差分信号処理を行う。ここで、センスラインＳＬ９とセンスラインＳＬ１０との配線経路の差が大きくなっている。そのため、そのような配線経路の差（配線の影響）によって、差分信号処理によるノイズ除去の効果が低下し得る。
【００４１】
図１１は、差分信号処理済みの信号を用いて算出された、タッチパネル１２０の中央部の差分マップ（容量分布データ）である。図１１に示すように、タッチパネル１２０の中央部に、配線経路の差に起因するノイズ信号が発生してしまう。つまり、配線の影響によりタッチパネル１２０の中央部分の減算を正確に行うことができず（ノイズキャンセルの効果が小さくなり）、ノイズが残存してしまう。そのため、タッチ信号の検出に支障をきたす。
【００４２】
以上のように、従来のタッチパネルシステム１００には、額縁領域Ａ１０１・Ａ１０２を狭くしようとすると、差分信号処理によるノイズ除去の効果が低下し得るという問題がある。
【００４３】
＜本実施形態のタッチパネルシステム＞
本発明の一実施形態について、図１〜図４に基づいて説明すれば、以下のとおりである。
【００４４】
本実施形態では、本発明のタッチパネルシステムの一例としての、静電容量方式のタッチパネルを備えたタッチパネルシステムについて説明する。
【００４５】
なお、本発明のタッチパネルシステムとしては、必ずしもこれに限らない。本発明の一態様は、差分信号処理によるノイズ除去を行うタッチパネルシステムに適用することができ、タッチパネルの動作原理（センサの動作方式）は特に限定されない。例えば、抵抗膜方式、赤外線方式、超音波方式、または電磁誘導結合方式等の、複数本のタッチ検出ラインを有するタッチパネルを備えたタッチパネルシステムに適用することができる。また、表示装置の種類も限定されるものではない。
【００４６】
本実施形態のタッチパネルシステム１ａの構成について、図１に基づいて説明する。図１の（ａ）は、本実施形態におけるタッチパネルシステム１ａの基本構成を示す概略図であり、（ｂ）は、タッチパネル３からの信号の流れを説明するための模式図である。
【００４７】
図１の（ａ）に示すように、タッチパネルシステム１ａは、表示装置２、タッチパネル３、およびタッチパネルコントローラ４を備えており、差分信号処理によるノイズ除去の機能を有する。タッチパネルコントローラ４は、制御部３０、ドライブライン駆動部２０、および検出回路１０を備えている。検出回路１０は、フェーズ切替部（切替回路）１１、減算部１２、信号選択部１３、Ａ／Ｄ変換部１４、復号処理部１５、およびタッチ位置検出部１６を備えている。また、タッチパネルシステム１ａは、ドライブラインＤｒＬを並列駆動するようになっている。この並列駆動については後述する。
【００４８】
（表示装置）
表示装置２は、図示しない表示画面（表示部）を備えている。表示画面には、操作用の各種アイコンや、使用者の操作指示に応じた文字情報等が表示される。表示装置２は、例えば、液晶ディスプレイ、プラズマディスプレイ、有機ＥＬディスプレイ、電界放出ディスプレイ（ＦＥＤ；field emission display）等から構成される。これらのディスプレイは、日常的な電子機器に多用されており、汎用性の高いタッチパネルシステム１ａが構成される。表示装置２は、任意の構成とすればよく、特に限定されない。
【００４９】
（タッチパネル）
タッチパネル３は、使用者が指またはペン等によりタッチパネル３の表面をタッチ（押圧）操作することによって、各種の操作指示を入力する、投影型静電容量方式のタッチパネルである。タッチパネル３は、表示画面を覆うように、表示装置２の前面（上部）に積層されている。
【００５０】
ここで、タッチパネル３の具体的な構成について、図１の（ｂ）を参照して説明する。図１の（ｂ）では、説明の便宜上、タッチパネル３の一部として、タッチパネル３の中央部を拡大して示している。図１の（ｂ）に示すように、タッチパネル３は、センサ部３ａを備え、使用者によるタッチ操作を検出する。このタッチ操作には、ダブルクリック操作、スライド操作、シングルクリック操作、ドラッグ操作等が含まれる。
【００５１】
センサ部３ａは、複数本のセンスラインＳＬと、各センスラインＳＬに交差する複数本のドライブラインＤｒＬと、を備えている。本実施形態では、センスラインＳＬは２０本、ドライブラインＤｒＬは２８本となっている。センスラインＳＬとドライブラインＤｒＬとは、それぞれ互いに絶縁され、かつ、容量結合している。複数本（本実施形態では２０本）のセンスラインＳＬは、それぞれ、互いに並行に、かつ等間隔に設けられている。複数本（本実施形態では２８本）のドライブラインＤｒＬも、それぞれ、互いに並行に、かつ等間隔に設けられている。
【００５２】
ここで、本実施形態のセンサ部３ａにおける図面の上側の複数本のセンスラインＳＬ（本実施形態では１０本）をまとめて第１センスライン群ＳＬＧ１とし、下側の複数本のセンスラインＳＬ（本実施形態では１０本）をまとめて第２センスライン群ＳＬＧ２とする。センサ部３ａは、第１センスライン群ＳＬＧ１と第２センスライン群ＳＬＧ２との間において、センスラインＳＬと並行に設けられた（同一方向に延びている）、１本の両側配線センスラインをさらに備えている。詳しくは後述するが、この両側配線センスラインは、その長手方向の両端の部分がそれぞれ配線と接続されており、より具体的には二経路配線センスライン（Double Routing Sense Line）と称することもできる。記載の簡略化のために、本明細書の説明および図面では、上記両側配線センスラインを両側センスラインＤＲＳＬと称して説明する。
【００５３】
なお、両側センスラインＤＲＳＬは、複数本設けられていてもよい。
【００５４】
換言すれば、タッチパネル３には、第１センスライン群ＳＬＧ１を構成する１０本の第１センスラインＳＬＦと、少なくとも１本の両側センスラインＤＲＳＬと、第２センスライン群ＳＬＧ２を構成する１０本の第２センスラインＳＬＳと、が配置されている。タッチパネル３では、横方向に設けられたセンスラインＳＬおよび両側センスラインＤＲＳＬと、縦方向に設けられたドライブラインＤｒＬとが、二次元マトリクス状に配置されている。
【００５５】
両側センスラインＤＲＳＬは、上記２０本のセンスラインＳＬと同一平面上に設けられている。この両側センスラインＤＲＳＬは、例えば、センサ部３ａが有する複数本のセンスラインＳＬのうちの１本を両側センスラインＤＲＳＬとして利用したものであってよく、センスラインＳＬと同様の機能を有する。なお、両側センスラインＤＲＳＬは、上記２０本のセンスラインＳＬと略同一平面上に設けられていてもよい。両側センスラインＤＲＳＬで生じるノイズと、両側センスラインＤＲＳＬに隣接するセンスラインＳＬで生じるノイズとが対応する同様のノイズとなるように、両側センスラインＤＲＳＬが配置されていればよい。
【００５６】
センスラインＳＬ、両側センスラインＤＲＳＬ、およびドライブラインＤｒＬは、それぞれ線状電極からなる。なお、センスラインＳＬ、両側センスラインＤＲＳＬ、およびドライブラインＤｒＬは、直線状に配列した電極からなっていればよく、その電極形状としては公知の形状であってよい。つまり、電極形状は特に限定されるものではない。
【００５７】
各センスラインＳＬの一端と、タッチパネルコントローラ４のフェーズ切替部１１とは、配線によって互いに接続されている。この配線を、以下ではセンス配線ＳＷと称する。上記第１センスライン群ＳＬＧ１を構成する複数本の第１センスラインＳＬＦにそれぞれ接続されたセンス配線ＳＷの束を、第１センス配線群ＳＷＧ１とする。また、第２センスライン群ＳＬＧ２を構成する複数本の第２センスラインＳＬＳにそれぞれ接続されたセンス配線ＳＷの束を、第２センス配線群ＳＷＧ２とする。
【００５８】
本実施形態では、第１センス配線群ＳＷＧ１および第２センス配線群ＳＷＧ２はそれぞれ１０本の配線を含む。つまり、第１センス配線群ＳＷＧ１は、１０本の第１センスラインＳＬＦにそれぞれ対応する１０本の第１センス配線（第１配線）ＳＷＦから構成され、第２センス配線群ＳＷＧ２は、１０本の第２センスラインＳＬＳにそれぞれ対応する１０本の第２センス配線（第２配線）ＳＷＳから構成されている。
【００５９】
第１センス配線群ＳＷＧ１は、第１方向としてのセンサ部３ａの右側から引き出されて、フェーズ切替部１１へと接続されている。第２センス配線群ＳＷＧ２は、第１方向とは逆の第２方向としてのセンサ部３ａの左側から引き出され、引き回されてフェーズ切替部１１へと接続されている。換言すれば、第１センスラインＳＬＦは、上記第１方向に沿ってタッチパネル３から引き出されて第１センス配線ＳＷＦと接続されており、第２センスラインＳＬＳは、上記第１方向とは逆の第２方向に沿ってタッチパネル３から引き出されて第２センス配線ＳＷＳと接続されている。
【００６０】
また、両側センスラインＤＲＳＬは、その両側から配線が引き出され、その２つの配線が合流してタッチパネルコントローラ４のフェーズ切替部１１に接続されている。この両側センスラインＤＲＳＬの配線（両側配線ＤＲＷ）について、詳しくは後述する。
【００６１】
なお、各種のセンスラインＳＬおよび両側センスラインＤＲＳＬと、各配線とは、通電可能に接続されていればよく、その接続部の位置等、接続の具体的な態様は特に限定されるものではない。
【００６２】
センサ部３ａで検出された信号は、各センス配線ＳＷおよび両側配線ＤＲＷを介して、フェーズ切替部１１に出力される。つまり、センサ部３ａで検出されたタッチ操作に応じた信号が、フェーズ切替部１１に出力される。
【００６３】
センスラインＳＬ、ドライブラインＤｒＬ、および両側センスラインＤＲＳＬは、いずれも、例えば、ＩＴＯ（Indium Thin Oxide：酸化インジウムスズ）などの透明な配線材料から形成することができる。センスラインＳＬ、ドライブラインＤｒＬ、および両側センスラインＤＲＳＬは、タッチパネル３におけるセンサ電極であるともいえる。
【００６４】
なお、ドライブラインＤｒＬは、透明基板または透明フィルム（図示せず）上に設けられている。さらに、ドライブラインＤｒＬは、絶縁層（図示せず）により被覆されている。この絶縁層上には、センスラインＳＬおよび両側センスラインＤＲＳＬが設けられている。このように、センスラインＳＬまたは両側センスラインＤＲＳＬと、ドライブラインＤｒＬとは、絶縁層を介して互いに絶縁されると共に、容量結合している。センスラインＳＬおよび両側センスラインＤＲＳＬは、保護層（図示せず）により被覆されている。つまり、タッチパネル３では、保護層が、最も前面側（使用者側）に配置されている。
【００６５】
なお、センスラインＳＬ、両側センスラインＤＲＳＬ、ドライブラインＤｒＬの本数、長さ、幅、間隔等は、タッチパネルシステム１ａの用途またはタッチパネル３のサイズ等により任意に設定することができる。
【００６６】
（タッチパネルコントローラ）
タッチパネルコントローラ４は、ドライブラインＤｒＬを駆動するドライブライン駆動部２０と、センサ部３ａから入力された信号（データ）を読み取ってタッチ位置を検出する検出回路１０と、各部を統括的に制御する制御部３０とを備えている。
【００６７】
タッチパネルシステム１ａは、静電容量方式のセンサを備えているため、タッチパネルコントローラ４は、タッチパネル３で発生した静電容量を検出する。具体的にはタッチパネルコントローラ４は、センスラインＳＬ−ドライブラインＤｒＬ間の静電容量の変化、両側センスラインＤＲＳＬ−ドライブラインＤｒＬ間の静電容量の変化を検出する。
【００６８】
（ドライブライン駆動部）
ドライブライン駆動部２０は、制御部３０からの信号に基づいてドライブラインＤｒＬを並列駆動する。この並列駆動の具体的構成および検出した静電容量の信号の処理については、公知の方式であるので、説明の便宜上、詳細な説明は省略するが、概略的には、復号処理部１５の説明と合わせて後述する。
【００６９】
（検出回路）
検出回路１０は、入力側から順に、フェーズ切替部１１、減算部１２、信号選択部１３、Ａ／Ｄ変換部１４、復号処理部１５、およびタッチ位置検出部１６を備えている。
【００７０】
｛フェーズ切替部｝
フェーズ切替部（切替回路）１１は、図１の（ｂ）に示すように、入力側から順に、入力端子群１１ａ、スイッチ１１ｂ、および出力端子群１１ｃを備えている。入力端子群１１ａおよび出力端子群１１ｃはそれぞれ、個々の信号の流れに対応した複数の端子を備えている。入力端子群１１ａは、少なくとも、タッチパネル３が有するセンスラインＳＬおよび両側センスラインＤＲＳＬの合計と同じ数の入力端子Ｉｎｐを有している。出力端子群１１ｃは、少なくとも、後述する複数の差動増幅器１２ａに対応する数の出力端子Ｏｕｔを有している。
【００７１】
スイッチ１１ｂは、センスラインＳＬおよび両側センスラインＤＲＳＬから減算部１２に入力される信号を切り替える。より詳細には、スイッチ１１ｂは、一端が１つの出力端子Ｏｕｔと接続され、他端がその出力端子Ｏｕｔに対応する隣接する（図の上下に配置された）２つの入力端子Ｉｎｐのいずれかを選択して接続されるようになっている。
【００７２】
スイッチ１１ｂが上側の入力端子Ｉｎｐを選択している状態を第１フェーズとし、下側の入力端子Ｉｎｐを選択している状態を第２フェーズとすると、フェーズ切替部１１は、第１フェーズおよび第２フェーズを切替可能となっている。このスイッチ１１ｂによる信号の切り替えについて、詳しくはタッチパネルシステム１ａのノイズ処理の説明と合わせて後述する。
【００７３】
フェーズ切替部１１の入力端子群１１ａには、第１センス配線群ＳＷＧ１、第２センス配線群ＳＷＧ２、および両側配線ＤＲＷ（二経路配線）がそれぞれ接続されている。ここで、第１センス配線群ＳＷＧ１は、タッチパネル３の右側から引き出されて、各第１センス配線ＳＷＦが隣接するようにまとまって入力端子群１１ａに接続されている。また、第２センス配線群ＳＷＧ２は、タッチパネル３の左側から引き出され、タッチパネル３を回り込むように引き回されて、各第２センス配線ＳＷＳが隣接するようにまとまって入力端子群１１ａに接続されている。
【００７４】
そして、第１センス配線群ＳＷＧ１および第２センス配線群ＳＷＧ２の間にて、両側配線ＤＲＷが入力端子群１１ａに接続されている。ここで、両側配線ＤＲＷは、両側センスラインＤＲＳＬの両端から引き出されて、２つの配線が合流して、入力端子群１１ａに接続されている。具体的には、両側配線ＤＲＷは、（ｉ）両側センスラインＤＲＳＬの右側から引き出されて（上記第１方向に沿ってタッチパネル３から引き出されて）、第１センス配線ＳＷＦに沿って延びる第１両側配線（第１経路配線）ＤＲＷ１と、（ｉｉ）両側センスラインＤＲＳＬの左側から引き出され（上記第２方向に沿ってタッチパネル３から引き出されて）、タッチパネル３を回り込むように引き回されて第２センス配線ＳＷＳに沿って延びる第２両側配線（第２経路配線）ＤＲＷ２と、を含んでいる。
【００７５】
両側配線ＤＲＷは、第１両側配線ＤＲＷ１と第２両側配線ＤＲＷ２とが途中で合流する配線合流部４０を備えている。配線合流部４０によって形成された１本の両側配線ＤＲＷ（第３両側配線ＤＲＷ３（図２参照））がフェーズ切替部１１の入力端子群１１ａに接続されている。この配線合流部４０の具体的な構成は特に限定されない。
【００７６】
以下に減算部１２、信号選択部１３、Ａ／Ｄ変換部１４、復号処理部１５、およびタッチ位置検出部１６について説明するが、これらの各部が行う演算処理については、公知の技術を適用することができるため、説明の便宜上、詳細な説明は省略する。
【００７７】
｛減算部｝
減算部１２は、図１の（ｂ）に示すように、複数個（本実施形態では１０個）の差動増幅器（差動入力増幅回路）１２ａを備えている。ここで、タッチパネル３のセンスラインＳＬおよび両側センスラインＤＲＳＬからの出力信号は、アナログ信号であるとともに、ドライブラインＤｒＬが並列駆動されることによって得られる線形和信号となっている。
【００７８】
差動増幅器１２ａは、フェーズ切替部１１のスイッチ１１ｂにより選択された、互いに隣接するセンスラインＳＬから出力される、または隣接するセンスラインＳＬと両側センスラインＤＲＳＬとから出力されるアナログの線形和信号の差分を増幅するオペアンプである。
【００７９】
つまり、減算部１２は、センサ部３ａからの信号を受信し、ノイズの相関性がより高い、互いに隣接するライン間の差分信号値を算出する。減算部１２で減算処理された信号は、信号選択部１３に出力される。
【００８０】
なお、差動増幅器１２ａは、レールトゥレール（rail to rail）動作可能な全差動増幅器であってもよい。この場合、全差動増幅器は、電源電圧（Ｖｄｄ）からＧＮＤまでの電圧範囲で動作可能であり、減算部１２からの出力信号に、出力飽和の問題が生じない。
【００８１】
｛信号選択部｝
信号選択部１３は、図１の（ｂ）に示すように、複数の記憶部１３ａを備えている。記憶部１３ａは、スイッチ１１ｂにより一方の端子が選択された場合の、減算部１２による差分処理された信号（差分処理信号）を記憶する。記憶部１３ａに記憶された差分処理信号は、Ａ／Ｄ変換部１４に出力される。スイッチ１１ｂにより他方の端子が選択された場合、差分処理信号は、記憶部１３ａを経由しない。
【００８２】
信号選択部１３は、いわゆるサンプルホールド回路としての機能およびマルチプレクサとしての機能を有しており、減算部１２から受信した各信号を、適切なタイミングでＡ／Ｄ変換部１４に送信するようになっている。
【００８３】
｛Ａ／Ｄ変換部｝
Ａ／Ｄ変換部１４は、減算部１２にて減算処理され、信号選択部１３を介して受信したアナログ信号を、デジタル信号に変換する。
【００８４】
｛復号処理部｝
復号処理部１５は、減算部１２で算出された静電容量の差分値をＡ／Ｄ変換部１４によって変換して得られたデジタル信号を復号化する。タッチパネルシステム１ａにおけるドライブラインＤｒＬの並列駆動および復号処理部１５における復号化については、公知の構成を適用することができる。概略的には、以下のとおりである。なお、以下では、説明の便宜上、センスラインＳＬと両側センスラインＤＲＳＬとを区別せずに説明を行う。
【００８５】
復号処理部１５は、ドライブラインＤＬを並列駆動する符号系列と、センスラインＳＬ方向の容量値の差分分布との内積を演算する。復号処理部１５では、復号後の内積値の主成分として、センスラインＳＬ方向の容量値の差分分布がＮ倍され算出される。Ｎは、上記符号系列の符号長である。
【００８６】
したがって、内積値 を、センスラインＳＬ方向の容量値の差分分布の推定値とすることにより、その容量値の信号強度をＮ倍（符号長倍）にした読み出しが可能になる。これにより、ドライブラインＤｒＬの駆動時間が、ドライブラインＤｒＬを逐次駆動する駆動方式の場合の１／Ｎに短縮される。つまり、ドライブラインＤｒＬの駆動回数を減らすことができる。そのため、タッチパネルシステム１ａの省電力化が可能となる。
【００８７】
｛タッチ位置検出部｝
タッチ位置検出部１６が実行する処理は、公知のタッチパネルコントローラが行う処理と同様であってよい。タッチ位置検出部１６は、ノイズ信号が除去された互いに隣接するセンスラインＳＬの信号の差分に基づいて、各センスラインＳＬの信号の差分分布を示す差分マップを作成する。この差分マップに基づいて、タッチ情報（タッチの大きさ、位置など）を認識することにより、タッチ操作の有無に加えて、タッチ情報を認識することができる。
【００８８】
（制御部）
制御部３０は、ＣＰＵ（Central Processing Unit）若しくは専用プロセッサなどの演算処理部、および、ＲＡＭ（Random Access Memory）、ＲＯＭ（Read Only Memory）、ＨＤＤ（Hard Disc Drive）等のメモリ部品（いずれも図示せず）等により構成されており、上記メモリ部品に記憶されている各種情報および各種制御を実施するためのプログラムを読み出して実行する。制御部３０は、ドライブライン駆動部２０および検出回路１０の各部を、統括的に制御する。
【００８９】
（本実施形態のタッチパネルシステムの配線構造）
ここで、図２の（ａ）、（ｂ）を参照して、タッチパネルシステム１ａの配線構造についてより詳細に説明する。図２の（ａ）は、タッチパネルシステム１ａの配線構造を模式的に示す図であり、（ｂ）は、スイッチ１１ｂが（ａ）とは逆の端子を選択するように切り替わった状態における要部拡大図である。
【００９０】
図２の（ａ）に示すように、タッチパネル３は、１０本の第１センスラインＳＬＦと、１０本の第２センスラインＳＬＳと、１０本の第１センスラインＳＬＦからなる第１センスライン群ＳＬＧ１と１０本の第２センスラインＳＬＳからなる第２センスライン群ＳＬＧ２との間に配置された１本の両側センスラインＤＲＳＬと、を有している。
【００９１】
１０本の第１センスラインＳＬＦをそれぞれ、タッチパネル３の上から順にセンスラインＳＬ０〜センスラインＳＬ９とし、１０本の第２センスラインＳＬＳをそれぞれ、タッチパネル３の上から順にセンスラインＳＬ１０〜センスラインＳＬ１９とする。センスラインＳＬ９とセンスラインＳＬ１０との間に両側センスラインＤＲＳＬは配置されている。
【００９２】
センスラインＳＬ０〜センスラインＳＬ９がそれぞれ、タッチパネル３の右側から（第１方向に沿って）引き出されて１０本の第１センス配線ＳＷＦと接続されている。センスラインＳＬ０〜センスラインＳＬ９のそれぞれに対応する、１０本の第１センス配線ＳＷＦをそれぞれ、センス配線ＳＷ０〜ＳＷ９とする。
【００９３】
また、センスラインＳＬ１０〜センスラインＳＬ１９がそれぞれ、タッチパネル３の左側から（第１方向とは逆の第２方向に沿って）引き出されて１０本の第２センス配線ＳＷＳと接続されている。センスラインＳＬ１０〜センスラインＳＬ１９のそれぞれに対応する、１０本の第２センス配線ＳＷＳをそれぞれ、センス配線ＳＷ１０〜ＳＷ１９とする。
【００９４】
センス配線ＳＷ０〜ＳＷ９は、タッチパネル３の右側の経路を通って入力端子群１１ａに接続している。センス配線ＳＷ１０〜ＳＷ１９は、タッチパネル３の左側から引き出され、センス配線ＳＷ０〜ＳＷ９よりも長い経路を通って入力端子群１１ａに接続している。つまり、タッチパネルシステム１ａは、センス配線ＳＷ０〜ＳＷ９とセンス配線ＳＷ１０〜ＳＷ１９とで、タッチパネル３からタッチパネルコントローラ４までの配線経路（配線の長さ）が異なる構成となっている。
【００９５】
両側センスラインＤＲＳＬは、タッチパネル３の右側から引き出されて第１両側配線ＤＲＷ１と接続されているとともに、タッチパネル３の左側から引き出されて第２両側配線ＤＲＷ２と接続されている。第１両側配線ＤＲＷ１は、センス配線ＳＷ０〜ＳＷ９に沿った経路にて延びており、第２両側配線ＤＲＷ２は、センス配線ＳＷ１０〜ＳＷ１９に沿った経路にて延びている。
【００９６】
そして、第１両側配線ＤＲＷ１および第２両側配線ＤＲＷ２は、配線合流部４０にて合流し、合流後の１つの第３両側配線ＤＲＷ３が入力端子Ｉｎｐに接続している。つまり、両側配線ＤＲＷは、第１両側配線ＤＲＷ１と、第２両側配線ＤＲＷ２と、第３両側配線ＤＲＷ３とからなっている。
【００９７】
センス配線ＳＷ０〜ＳＷ９と、第３両側配線ＤＲＷ３と、センス配線ＳＷ１０〜ＳＷ１９とが接続する入力端子Ｉｎｐをそれぞれ、図の上から順に入力端子Ｉｎｐ１、Ｉｎｐ２、・・・、Ｉｎｐ２１とする。センス配線ＳＷ０〜ＳＷ９はそれぞれ、入力端子Ｉｎｐ１〜Ｉｎｐ１０と接続し、第３両側配線ＤＲＷ３は入力端子Ｉｎｐ１１と接続し、センス配線ＳＷ１０〜ＳＷ１９はそれぞれ、入力端子Ｉｎｐ１２〜Ｉｎｐ２１と接続している。
【００９８】
また、スイッチ１１ｂを介して入力端子Ｉｎｐと接続される複数の出力端子Ｏｕｔをそれぞれ、図の上から順に出力端子Ｏｕｔ１、Ｏｕｔ２、・・・、Ｏｕｔ２０とする。そして、各出力端子Ｏｕｔからの信号を受信する差動増幅器１２ａをそれぞれ、図の上から順に差動増幅器１２ａ１、差動増幅器１２ａ２、・・・、差動増幅器１２ａ１０とする。
【００９９】
スイッチ１１ｂが上側の入力端子を選択している図２の（ａ）の状態を第１フェーズと称し、スイッチ１１ｂが下側の入力端子を選択している図２の（ｂ）の状態を第２フェーズと称することとする。
【０１００】
図２の（ａ）に示す第１フェーズでは、入力端子群１１ａ、スイッチ１１ｂ、出力端子群１１ｃを介して、差動増幅器１２ａ１〜１２ａ５に入力される信号の組合せはそれぞれ、（ＳＬ０、ＳＬ１）、（ＳＬ２、ＳＬ３）、（ＳＬ４、ＳＬ５）、（ＳＬ６、ＳＬ７）、（ＳＬ８、ＳＬ９）であり、差動増幅器１２ａ６〜１２ａ１０に入力される信号の組合せはそれぞれ、（ＤＲＳＬ、ＳＬ１０）、（ＳＬ１１、ＳＬ１２）、（ＳＬ１３、ＳＬ１４）、（ＳＬ１５、ＳＬ１６）、（ＳＬ１７、ＳＬ１８）となる。
【０１０１】
一方、図２の（ｂ）に示す第２フェーズでは、入力端子群１１ａ、スイッチ１１ｂ、出力端子群１１ｃを介して、差動増幅器１２ａ１〜１２ａ５に入力される信号の組合せはそれぞれ、（ＳＬ１、ＳＬ２）、（ＳＬ３、ＳＬ４）、（ＳＬ５、ＳＬ６）、（ＳＬ７、ＳＬ８）、（ＳＬ９、ＤＲＳＬ）であり、差動増幅器１２ａ６〜１２ａ１０に入力される信号の組合せはそれぞれ、（ＳＬ１０、ＳＬ１１）、（ＳＬ１２、ＳＬ１３）、（ＳＬ１４、ＳＬ１５）、（ＳＬ１６、ＳＬ１７）、（ＳＬ１８、ＳＬ１９）となる。
【０１０２】
このように、本実施形態のタッチパネルシステム１ａでは、第１フェーズと第２フェーズとの両方において、第１センスライン群ＳＬＧ１の第１センスラインＳＬＦと第２センスライン群ＳＬＧ２の第２センスラインＳＬＳとが同じ差動増幅器１２ａに入力されることが無い。
【０１０３】
ここで、両側センスラインＤＲＳＬは、タッチパネル３上のセンスラインＳＬと同様の構成であり、かつ、両側配線ＤＲＷが第１センス配線群ＳＷＧ１と第２センス配線群ＳＷＧ２との双方の配線経路成分を含むように構成されているので、センスラインＳＬが外来のノイズの影響を受けた場合に、以下のことがいえる。すなわち、両側配線ＤＲＷが接続する入力端子Ｉｎｐ１１に入力される信号は、隣接する入力端子Ｉｎｐ１０に入力される信号（センス配線ＳＷ９を通じて入力されるセンスラインＳＬ９からの信号）および入力端子Ｉｎｐ１２に入力される信号（センス配線ＳＷ１０を通じて入力されるセンスラインＳＬ１０からの信号）と同様のノイズ成分を含む。
【０１０４】
このため、両側センスラインＤＲＳＬと、センスラインＳＬ９またはセンスラインＳＬ１０との差動を取ることにより、外来のノイズを除去することができる。
【０１０５】
なお、以上の点からすれば、両側センスラインＤＲＳＬは、差分信号の演算において、第１センスラインＳＬＦおよび第２センスラインＳＬＳによって共用される共用センスライン（シェアセンスライン）と称することもできる。
【０１０６】
＜本実施形態のタッチパネルシステムのノイズ処理＞
図３に基づいて、タッチパネルシステム１ａのノイズキャンセル処理について説明する。図３は、本実施形態のタッチパネルシステム１ａの基本処理であるノイズキャンセル処理を示すフローチャートである。
【０１０７】
タッチパネルシステム１ａを起動すると、ドライブライン駆動部２０はドライブラインＤｒＬを並列駆動する。使用者がタッチパネル３にタッチ操作を行うと、タッチ位置に対応する特定のセンスラインＳＬの容量が増加する。つまり、そのセンスラインＳＬからの出力信号値が増加する。
【０１０８】
タッチパネルシステム１ａは、各ドライブラインＤｒＬを駆動しつつ、センスラインＳＬおよび両側センスラインＤＲＳＬからの出力信号を、タッチパネルコントローラ４に出力する（ステップ１：以下Ｓ１のように略記する）。このように、タッチパネルシステム１ａは、ドライブラインＤｒＬを駆動しつつ、センスラインＳＬおよび両側センスラインＤＲＳＬの容量変化を検出し、タッチ操作の有無およびタッチ位置を検出する。
【０１０９】
より詳細には、表示装置２が発生するクロック等のノイズ、および、その他外来からのノイズは、タッチパネル３に反映される。このため、センスラインＳＬおよび両側センスラインＤＲＳＬからの出力信号には、タッチ操作本来の信号に、ノイズ信号（ノイズ成分）が加算されている。
【０１１０】
次に、フェーズ切替部１１のスイッチ１１ｂにおいて、上側の入力端子Ｉｎｐを選択する（Ｓ２）。
【０１１１】
そして、減算部１２において、下記（ｉ）〜（ｉｉｉ）を算出する（Ｓ３）。
【０１１２】
（ｉ）第１センスライン群ＳＬＧ１の隣接するセンスラインＳＬ間の差分を算出する。具体的には、センスラインＳＬ０−センスラインＳＬ１、センスラインＳＬ２−センスラインＳＬ３、センスラインＳＬ４−センスラインＳＬ５、センスラインＳＬ６−センスラインＳＬ７、およびセンスラインＳＬ８−センスラインＳＬ９の各差分信号処理をそれぞれ、差動増幅器１２ａ１〜差動増幅器１２ａ５が行う。
【０１１３】
（ｉｉ）両側センスラインＤＲＳＬと、第２センスライン群ＳＬＧ２の両側センスラインＤＲＳＬと隣接するセンスラインＳＬ１０との差分を算出する。具体的には、差動増幅器１２ａ６が、両側センスラインＤＲＳＬ−センスラインＳＬ１０の差分信号処理を行う。
【０１１４】
（ｉｉｉ）第２センスライン群ＳＬＧ２の残りのセンスラインＳＬ１１〜センスラインＳＬ１９の隣接するセンスラインＳＬ間の差分を算出する。具体的には、センスラインＳＬ１１−センスラインＳＬ１２、センスラインＳＬ１３−センスラインＳＬ１４、センスラインＳＬ１５−センスラインＳＬ１６、およびセンスラインＳＬ１７−センスラインＳＬ１８の各差分信号処理をそれぞれ、差動増幅器１２ａ７〜差動増幅器１２ａ１０が行う。
【０１１５】
上記Ｓ３にて減算部１２で算出された差分信号は、記憶部１３ａに記憶される（Ｓ４）。
【０１１６】
次に、上側の入力端子Ｉｎｐが選択されているスイッチ１１ｂを、下側の端子を選択するように切り替える（Ｓ５）。そして、減算部１２において、Ｓ３と同様に処理する。すなわち、減算部１２において、下記（ｉ）〜（ｉｉｉ）を算出する（Ｓ６）。
【０１１７】
（ｉ）第１センスライン群ＳＬＧ１における、両側センスラインＤＲＳＬと隣接するセンスラインＳＬ９以外のセンスラインＳＬ１〜センスラインＳＬ８の、隣接するセンスラインＳＬ間の差分を算出する。具体的には、センスラインＳＬ１−センスラインＳＬ２、センスラインＳＬ３−センスラインＳＬ４、センスラインＳＬ５−センスラインＳＬ６、およびセンスラインＳＬ７−センスラインＳＬ８の各差分信号処理をそれぞれ、差動増幅器１２ａ１〜差動増幅器１２ａ４が行う。
【０１１８】
（ｉｉ）第１センスライン群ＳＬＧ１における両側センスラインＤＲＳＬと隣接するセンスラインＳＬ９と、両側センスラインＤＲＳＬとの差分を算出する。具体的には、差動増幅器１２ａ５が、センスラインＳＬ９−両側センスラインＤＲＳＬの差分信号処理を行う。
【０１１９】
（ｉｉｉ）第２センスライン群ＳＬＧ２の隣接するセンスラインＳＬ間の差分を算出する。具体的には、センスラインＳＬ１０−センスラインＳＬ１１、センスラインＳＬ１２−センスラインＳＬ１３、センスラインＳＬ１４−センスラインＳＬ１５、センスラインＳＬ１６−センスラインＳＬ１７、およびセンスラインＳＬ１８−センスラインＳＬ１９の各差分信号処理をそれぞれ、差動増幅器１２ａ６〜差動増幅器１２ａ１０が行う。
【０１２０】
次に、信号選択部１３は、Ｓ６において減算部１２で算出された差分信号と、Ｓ３において減算部１２で算出されて記憶部１３ａに記憶された差分信号とを、Ａ／Ｄ変換部１４に送信して、各信号をデジタル信号に変換する。そして、復号処理部１５は、Ａ／Ｄ変換された信号に対して、復号化を行い、センスラインＳＬ方向の容量値の差分分布の推定値を求める（Ｓ７）。
【０１２１】
復号処理部１５は、処理後のデータをタッチ位置検出部１６に送信する（Ｓ８）。タッチ位置検出部１６は、受信したデータに基づいて、各センスラインＳＬの信号の差分分布を示す差分マップを作成する。この差分マップに基づいて、タッチ情報（タッチの大きさ、位置など）を認識することができる。
【０１２２】
＜本実施形態のタッチパネルシステムの有利な点＞
図４を参照して、本実施形態のタッチパネルシステム１ａの有利な点について、以下に説明する。図４は、タッチパネルシステム１ａにおける額縁面積の低減について説明するための平面図である。
【０１２３】
図４に示すように、タッチパネル３は、表示装置２の前面に積層されているとともに、タッチパネル３の左右の額縁領域Ａ２が均等になるように配置されている。タッチパネル３の右側から、第１センスライン群ＳＬＧ１と接続された第１センス配線群ＳＷＧ１が引き出されているとともに、両側センスラインＤＲＳＬと接続された第１両側配線ＤＲＷ１が引き出されている。また、タッチパネル３の左側から、第２センスライン群ＳＬＧ２と接続された第２センス配線群ＳＷＧ２が引き出されているとともに、両側センスラインＤＲＳＬと接続された第２両側配線ＤＲＷ２が引き出されている。
【０１２４】
このように、タッチパネルシステム１ａでは、タッチパネル３の左右から配線を引き出すことから、配線を引き回すために必要な領域を狭くすることができる。そのため、タッチパネル３の左右の額縁領域Ａ２を狭くして、タッチパネル３の表示画面領域Ａ１を大きくし得る。
【０１２５】
また、タッチパネルシステム１ａでは、額縁領域Ａ２での配線経路において、第１両側配線ＤＲＷ１が第１センス配線群ＳＷＧ１よりもタッチパネル３に近い側を通り、かつ、第２両側配線ＤＲＷ２が第２センス配線群ＳＷＧ２よりもタッチパネル３から遠い側を通るようになっている。これにより、タッチパネル３から引き出した複数の配線がそれぞれ交差することなく整列して額縁領域Ａ２を通過することができる。
【０１２６】
ここで、隣接するセンスラインＳＬからの信号の差分を算出することにより、タッチパネル３に反映された多様な種類のノイズを除去（キャンセル）することができる。しかしながら、配線経路が大きく異なるような場合、配線の影響によってノイズ除去の効果が低減し得る。
【０１２７】
そこで、タッチパネルシステム１ａでは、両側センスラインＤＲＳＬからの配線は、第１両側配線ＤＲＷ１および第２両側配線ＤＲＷ２が、配線の途中の配線合流部４０で合流して入力端子群１１ａに接続されている（図２の（ａ）参照）。そのため、両側配線ＤＲＷは、第１センス配線群ＳＷＧ１と第２センス配線群ＳＷＧ２との双方の配線経路成分を含むように構成されている。
【０１２８】
それゆえ、両側センスラインＤＲＳＬからの信号と、両側センスラインＤＲＳＬに隣接する第１センスラインＳＬＦおよび第２センスラインＳＬＳからの信号との差分をそれぞれ算出した場合に、配線経路の差によってタッチパネル３の中央部のノイズ除去の効果が低減するという現象が生じることを抑制することができる。
【０１２９】
したがって、タッチパネルシステム１ａは、額縁領域Ａ２（額縁面積）を狭くしつつ、ノイズ除去の効果が低減することを抑制することができる。
【０１３０】
本実施形態のタッチパネルシステム１ａは、タッチパネル式の各種電子機器に適用することができる。電子機器としては、例えば、テレビ、パソコン、携帯電話、デジタルカメラ、携帯ゲーム機、電子フォトフレーム、携帯情報端末（ＰＤＡ：Personal Digital Assistant）、電子ブック、家電製品（電子レンジ，洗濯機等）、券売機、ＡＴＭ（Automated Teller Machine）、カーナビゲーション等を挙げることができる。これにより、額縁面積を狭くした場合に、ノイズ除去の効果が低減することを抑制し得る電子機器を提供することができる。
【０１３１】
＜その他の構成＞
以上に説明した構成について、より一般化して表現すると以下のとおりである。
【０１３２】
タッチパネル３は、Ｍ本の第１センスラインＳＬＦと、Ｎ本の第２センスラインＳＬＳと（Ｍ、Ｎは複数）、Ｌ本の両側センスラインＤＲＳＬ（Ｌは１以上の整数）とを有している。減算部１２が備える差動増幅器１２ａの数をＫ個とする。ここで、Ｋは、（Ｍ＋Ｎ＋Ｌ）＝（２Ｋ＋１）を満足する整数となっている。
【０１３３】
Ｍ本の第１センスラインＳＬＦのそれぞれに対応するＭ本の第１センス配線ＳＷＦが、フェーズ切替部１１に配置された１番目からＭ番目の入力端子Ｉｎｐ（入力端子Ｉｎｐ１〜ＩｎｐＭ）に接続される。Ｌ本の両側センスラインＤＲＳＬのそれぞれに対応するＬ本の両側配線ＤＲＷが、フェーズ切替部１１に配置されたＭ＋１番目からＭ＋Ｌ番目の入力端子Ｉｎｐ（入力端子Ｉｎｐ（Ｍ＋１）〜Ｉｎｐ（Ｍ＋Ｌ））に接続される。そして、Ｎ本の第２センスラインＳＬＳのそれぞれに対応するＮ本の第２センス配線ＳＷＳが、フェーズ切替部１１に配置されたＭ＋Ｌ＋１番目からＭ＋Ｌ＋Ｎ番目の入力端子Ｉｎｐ（入力端子Ｉｎｐ（Ｍ＋Ｌ＋１）〜Ｉｎｐ（Ｍ＋Ｌ＋Ｎ））に接続される。
【０１３４】
フェーズ切替部１１は、上記Ｋ個の差動増幅器１２ａに対応する（２×Ｋ）個の出力端子Ｏｕｔを備えている。フェーズ切替部１１のスイッチ１１ｂによって、出力端子Ｏｕｔと接続される入力端子Ｉｎｐを切り替える。これにより、減算部１２は、タッチパネル３の隣接するセンスラインＳＬおよび両側センスラインＤＲＳＬの信号の差分を算出する。
【０１３５】
Ｌ本の両側センスラインＤＲＳＬからは、それぞれ、第１センス配線ＳＷＦの経路に沿って延びる第１両側配線ＤＲＷ１と、第２センス配線ＳＷＳの経路に沿って延びる第２両側配線ＤＲＷ２とが引き出されている。それぞれの両側センスラインＤＲＳＬの第１両側配線ＤＲＷ１と第２両側配線ＤＲＷ２とは、配線経路の途中の配線合流部４０にて合流した後、入力端子Ｉｎｐ（入力端子Ｉｎｐ（Ｍ＋１）〜Ｉｎｐ（Ｍ＋Ｌ））に接続される。
【０１３６】
（変形例）
（ａ）第１両側配線ＤＲＷ１および第２両側配線ＤＲＷ２は、合流することなく別々の配線としてそのまま入力端子群１１ａに接続される構成であってもよい。この場合、例えば、図２の（ａ）における入力端子Ｉｎｐ１１は、第１両側配線ＤＲＷ１に対応する第１入力端子と、第２両側配線ＤＲＷ２に対応する第２入力端子とを有する。第１フェーズにおいて上記第２入力端子と差動増幅器１２ａ６とが接続し、第２フェーズにおいて上記第１入力端子と差動増幅器１２ａ５とが接続するようになっていればよい。このような構成についても本発明の範疇に入ることは、明らかである。
【０１３７】
（ｂ）図２の（ａ）に示した配線構造は一例であって、例えば、タッチパネル３における第２センスライン群ＳＬＧ２としてのセンスラインＳＬ１０〜センスラインＳＬ１９がそれぞれ、入力端子群１１ａに逆の順番で接続されてもよい。具体的には、センスラインＳＬ１９〜センスラインＳＬ１０が、この順番にて、入力端子Ｉｎｐ１２〜入力端子Ｉｎｐ２１にそれぞれ接続されるように配線が引き回されていてもよい。
【０１３８】
（ｃ）ドライブライン駆動部２０は、複数本のドライブラインＤｒＬを並列駆動するのではなく、順次駆動するようになっていてもよい。この場合、検出回路１０は復号処理部１５を備えていなくてよい。
【０１３９】
〔実施形態２〕
本発明の他の実施形態について、図５に基づいて説明すれば、以下のとおりである。なお、本実施形態において説明すること以外の構成は、前記実施形態１と同じである。また、説明の便宜上、前記実施形態１の図面に示した部材と同じ機能を有する部材については、同じ符号を付し、その説明を省略する。
【０１４０】
前記実施形態１のタッチパネルシステム１ａは、タッチパネル３における第１センスライン群ＳＬＧ１と第２センスライン群ＳＬＧ２との間に両側センスラインＤＲＳＬが配置されていた。これに対して、本実施形態のタッチパネルシステム１ｂでは、第２センスライン群ＳＬＧ２の下側、すなわちセンスラインＳＬ１９に隣接する位置に両側センスラインＤＲＳＬが配置されている点が異なっている。
【０１４１】
本実施形態のタッチパネルシステム１ｂの配線構造について、図５の（ａ）および（ｂ）に基づいて説明する。図５の（ａ）は、タッチパネルシステム１ｂの配線構造を模式的に示す図であり、（ｂ）は、スイッチ１１ｂが（ａ）とは逆の端子を選択するように切り替わった状態における要部拡大図である。
【０１４２】
タッチパネルシステム１ｂのタッチパネル３は、１０本の第１センスラインＳＬＦと、１０本の第２センスラインＳＬＳと、１０本の第２センスラインＳＬＳからなる第２センスライン群ＳＬＧ２に隣接して配置された１本の両側センスラインＤＲＳＬと、を有している。
【０１４３】
つまり、タッチパネル３には、図面における上から順に、センスラインＳＬ０〜センスラインＳＬ９（第１センスライン群ＳＬＧ１）、センスラインＳＬ１０〜センスラインＳＬ１９（第２センスライン群ＳＬＧ２）、および両側センスラインＤＲＳＬが配置されている。
【０１４４】
この場合においても、両側センスラインＤＲＳＬは、タッチパネル３の右側から引き出されて第１両側配線ＤＲＷ１と接続されているとともに、タッチパネル３の左側から引き出されて第２両側配線ＤＲＷ２と接続されている。第１両側配線ＤＲＷ１は、センス配線ＳＷ０〜ＳＷ９に沿った経路にて延びており、第２両側配線ＤＲＷ２は、センス配線ＳＷ１０〜ＳＷ１９に沿った経路にて延びている。
【０１４５】
そして、第１両側配線ＤＲＷ１および第２両側配線ＤＲＷ２は、配線合流部４０にて合流し、合流後の１つの第３両側配線ＤＲＷ３が入力端子群１１ａに接続している。
【０１４６】
複数の入力端子Ｉｎｐをそれぞれ、図の上から順に入力端子Ｉｎｐ１、Ｉｎｐ２、・・・、Ｉｎｐ２１とする。センス配線ＳＷ０〜ＳＷ９はそれぞれ、入力端子Ｉｎｐ１〜Ｉｎｐ１０と接続し、第３両側配線ＤＲＷ３は入力端子Ｉｎｐ１１と接続し、センス配線ＳＷ１０〜ＳＷ１９はそれぞれ、入力端子Ｉｎｐ１２〜Ｉｎｐ２１と接続している。
【０１４７】
両側配線ＤＲＷは、第１センス配線群ＳＷＧ１（センス配線ＳＷ０〜ＳＷ９）と第２センス配線群ＳＷＧ２（センス配線ＳＷ１０〜ＳＷ１９）との双方の配線経路成分を含むように構成されている。
【０１４８】
そのため、減算部１２において差分信号処理を実行するにあたって、両側センスラインＤＲＳＬからの信号と両側センスラインＤＲＳＬに隣接する第２センスラインＳＬＳ（センスラインＳＬ１９）からの信号との差分、および、両側センスラインＤＲＳＬからの信号と第１センスラインＳＬＳ（センスラインＳＬ９）からの信号との差分、をそれぞれ算出した場合に、配線経路の差によってノイズ除去の効果が低減するという現象が生じることを抑制することができる。
【０１４９】
したがって、額縁面積を狭くしつつ、ノイズ除去の効果が低減することを抑制することができる。
【０１５０】
また、両側センスラインＤＲＳＬがタッチパネル３の端に設けられていることにより、タッチ有効面積をさらに広げることができる。
【０１５１】
〔実施形態３〕
本発明のさらに他の実施形態について、図６に基づいて説明すれば、以下のとおりである。なお、本実施形態において説明すること以外の構成は、前記実施形態１および実施形態２と同じである。また、説明の便宜上、前記実施形態１および実施形態２の図面に示した部材と同じ機能を有する部材については、同じ符号を付し、その説明を省略する。
【０１５２】
前記実施形態２のタッチパネルシステム１ｂは、タッチパネル３に配置された複数本のセンスラインＳＬのうち、上半分を第１センスライン群ＳＬＧ１とし、下半分を第２センスライン群ＳＬＧ２としていた。これに対して、本実施形態のタッチパネルシステム１ｃでは、タッチパネル３に配置された複数本のセンスラインＳＬのうち、上から数えて偶数番号のセンスラインＳＬの組を第１センスライン群ＳＬＧ１とし、奇数番号のセンスラインＳＬの組を第２センスライン群ＳＬＧ２としている点が異なっている。
【０１５３】
本実施形態のタッチパネルシステム１ｃの配線構造について、図６の（ａ）および（ｂ）に基づいて説明する。図６の（ａ）は、タッチパネルシステム１ｃの配線構造を模式的に示す図であり、（ｂ）は、スイッチ１１ｂが（ａ）とは逆の端子を選択するように切り替わった状態における要部拡大図である。
【０１５４】
タッチパネルシステム１ｃのタッチパネル３は、１０本の第１センスラインＳＬＦと、１０本の第２センスラインＳＬＳと、１本の両側センスラインＤＲＳＬと、を有している。この１０本の第１センスラインＳＬＦからなる第１センスライン群ＳＬＧ１は、タッチパネル３の上から偶数番号のセンスラインＳＬの組であり、具体的にはセンスラインＳＬ０、センスラインＳＬ２、・・・、センスラインＳＬ１８を含む。また、１０本の第２センスラインＳＬＳからなる第２センスライン群ＳＬＧ２は、タッチパネル３の上から奇数番号のセンスラインＳＬの組であり、具体的にはセンスラインＳＬ１、センスラインＳＬ３、・・・、センスラインＳＬ１９を含む。センスラインＳＬ１９に隣接して両側センスラインＤＲＳＬが配置されている。
【０１５５】
第１センスライン群ＳＬＧ１に対応する１０本の第１センス配線ＳＷＦからなる第１センス配線群ＳＷＧ１がタッチパネル３の右側から引き出されている。具体的には、１０本の第１センス配線ＳＷＦをそれぞれ、センス配線ＳＷ０、センス配線ＳＷ２、・・・、センス配線ＳＷ１８とする。また、第２センスライン群ＳＬＧ２に対応する１０本の第２センス配線ＳＷＳからなる第２センス配線群ＳＷＧ２がタッチパネル３の左側から引き出されている。具体的には、１０本の第２センス配線ＳＷＳをそれぞれ、センス配線ＳＷ１、センス配線ＳＷ３、・・・、センス配線ＳＷ１９とする。
【０１５６】
両側センスラインＤＲＳＬは、タッチパネル３の右側から引き出されて第１両側配線ＤＲＷ１と接続されているとともに、タッチパネル３の左側から引き出されて第２両側配線ＤＲＷ２と接続されている。第１両側配線ＤＲＷ１は、第１センス配線群ＳＷＧ１に沿った経路にて延びており、第２両側配線ＤＲＷ２は、第２センス配線群ＳＷＧ２に沿った経路にて延びている。そして、第１両側配線ＤＲＷ１および第２両側配線ＤＲＷ２は、配線合流部４０にて合流し、合流後の１つの第３両側配線ＤＲＷ３が入力端子群１１ａに接続している。
【０１５７】
複数の入力端子Ｉｎｐをそれぞれ、図の上から順に入力端子Ｉｎｐ１、Ｉｎｐ２、・・・、Ｉｎｐ２１とする。第１センス配線群ＳＷＧ１は、数字の小さい方から順にそれぞれ入力端子Ｉｎｐ１〜Ｉｎｐ１０と接続し、第３両側配線ＤＲＷ３は入力端子Ｉｎｐ１１と接続し、第２センス配線群ＳＷＧ２は、数字の小さい方から順にそれぞれ入力端子Ｉｎｐ１２〜Ｉｎｐ２１と接続している。
【０１５８】
スイッチ１１ｂが上側の入力端子を選択している図６の（ａ）の状態を第１フェーズと称し、スイッチ１１ｂが下側の入力端子を選択している図６の（ｂ）の状態を第２フェーズと称することとする。
【０１５９】
図６の（ａ）に示す第１フェーズでは、入力端子群１１ａ、スイッチ１１ｂ、出力端子群１１ｃを介して、差動増幅器１２ａ１〜１２ａ５に入力される信号の組合せはそれぞれ、（ＳＬ０、ＳＬ２）、（ＳＬ４、ＳＬ６）、（ＳＬ８、ＳＬ１０）、（ＳＬ１２、ＳＬ１４）、（ＳＬ１６、ＳＬ１８）であり、差動増幅器１２ａ６〜１２ａ１０に入力される信号の組合せはそれぞれ、（ＤＲＳＬ、ＳＬ１）、（ＳＬ３、ＳＬ５）、（ＳＬ７、ＳＬ９）、（ＳＬ１１、ＳＬ１３）、（ＳＬ１５、ＳＬ１７）となる。
【０１６０】
一方、図６の（ｂ）に示す第２フェーズでは、入力端子群１１ａ、スイッチ１１ｂ、出力端子群１１ｃを介して、差動増幅器１２ａ１〜１２ａ５に入力される信号の組合せはそれぞれ、（ＳＬ２、ＳＬ４）、（ＳＬ６、ＳＬ８）、（ＳＬ１０、ＳＬ１２）、（ＳＬ１４、ＳＬ１６）、（ＳＬ１８、ＤＲＳＬ）であり、差動増幅器１２ａ６〜１２ａ１０に入力される信号の組合せはそれぞれ、（ＳＬ１、ＳＬ３）、（ＳＬ５、ＳＬ７）、（ＳＬ９、ＳＬ１１）、（ＳＬ１３、ＳＬ１５）、（ＳＬ１７、ＳＬ１９）となる。
【０１６１】
このように、本実施形態のタッチパネルシステム１ｃでは、第１フェーズと第２フェーズとの両方において、第１センスライン群ＳＬＧ１の第１センスラインＳＬＦと第２センスライン群ＳＬＧ２の第２センスラインＳＬＳとが同じ差動増幅器１２ａに入力されることが無い。換言すれば、タッチパネル３における偶数組のセンスラインＳＬと、奇数組のセンスラインＳＬとが同じ差動増幅器１２ａに入力されることが無い。
【０１６２】
そのため、タッチパネル３の両側から交互にセンス配線ＳＷを引き出すような構成であっても、以下の効果を奏する。すなわち、減算部１２において差分信号処理を実行するにあたって、両側センスラインＤＲＳＬからの信号と両側センスラインＤＲＳＬに隣接する第２センスラインＳＬＳ（センスラインＳＬ１９）からの信号との差分、および、両側センスラインＤＲＳＬからの信号と第１センスラインＳＬＳ（センスラインＳＬ１）からの信号との差分、をそれぞれ算出した場合に、配線経路の差によってノイズ除去の効果が低減するという現象が生じることを抑制することができる。
【０１６３】
したがって、額縁面積を狭くしつつ、ノイズ除去の効果が低減することを抑制することができる。
【０１６４】
〔まとめ〕
本発明の態様１におけるタッチパネルシステムは、タッチパネル３に配置されたＭ本の第１センスラインＳＬＦとＮ本の第２センスラインＳＬＳと（Ｍ、Ｎは複数）Ｌ本の両側配線センスライン（両側センスラインＤＲＳＬ）（Ｌは１以上の整数）とからの信号の差分を増幅するＫ個の差動入力増幅回路（差動増幅器１２ａ）と（Ｋは、（Ｍ＋Ｎ＋Ｌ）＝（２Ｋ＋１）を満足する整数）、前記Ｍ本の第１センスラインに対応するＭ本の第１配線（第１センス配線ＳＷＦ）と、前記Ｌ本の両側配線センスラインに対応するＬ本の両側配線ＤＲＷと、前記Ｎ本の第２センスラインに対応するＮ本の第２配線（第２センス配線ＳＷＳ）とが接続される（Ｍ＋Ｌ＋Ｎ）個の入力端子Ｉｎｐと、前記Ｋ個の差動入力増幅回路に対応する（２×Ｋ）個の出力端子Ｏｕｔとを有する切替回路（フェーズ切替部１１）とを備え、前記Ｍ本の第１配線が１番目からＭ番目に配置された入力端子に接続され、前記Ｌ本の両側配線ＤＲＷが（Ｍ＋１）番目から（Ｍ＋Ｌ）番目に配置された入力端子に接続され、前記Ｎ本の第２配線が（Ｍ＋Ｌ＋１）番目から（Ｍ＋Ｌ＋Ｎ）番目に配置された入力端子に接続されることを特徴としている。
【０１６５】
上記の構成によれば、タッチパネルの周囲の額縁領域を狭くするために、第１配線および第２配線をそれぞれタッチパネルの左右から引き出すような場合において、両側配線が第１配線および第２配線との双方の配線経路成分を含むようにすることができる。この場合、両側配線センスラインからの信号と、第１センスラインおよび第２センスラインからの信号との差分をそれぞれ算出した場合に、配線経路の差によってノイズ除去の効果が低減するという現象が生じることを抑制することができる。
【０１６６】
したがって、額縁面積を狭くした場合に、ノイズ除去の効果が低減することを抑制し得るタッチパネルシステムを提供することができる。
【０１６７】
本発明の態様２におけるタッチパネルシステムは、態様１におけるタッチパネルシステムにおいて、前記第１センスラインが第１方向に沿って前記タッチパネル３から引き出されて前記第１配線に接続され、前記第２センスラインが前記第１方向とは逆の第２方向に沿って前記タッチパネル３から引き出されて前記第２配線に接続される構成である。
【０１６８】
上記の構成によれば、タッチパネルの周囲の額縁領域を狭くすることができ、タッチパネルの領域を広くすることができる。
【０１６９】
本発明の態様３におけるタッチパネルシステムは、態様２におけるタッチパネルシステムにおいて、前記両側配線ＤＲＷは、前記第１方向に沿って前記タッチパネル３から引き出され、前記第１配線に沿った経路にて延びる第１経路配線（第１両側配線ＤＲＷ１）と、前記第２方向に沿って前記タッチパネル３から引き出され、前記第２配線に沿った経路にて延びる第２経路配線（第２両側配線ＤＲＷ２）とが合流する配線合流部４０を備えている構成である。
【０１７０】
上記の構成によれば、両側配線は、第１配線と第２配線との双方の配線経路成分を含むように構成されている。そのため、両側配線センスラインからの信号と、第１センスラインおよび第２センスラインからの信号との差分をそれぞれ算出した場合に、配線経路の差によってノイズ除去の効果が低減するという現象が生じることを抑制することができる。
【０１７１】
したがって、額縁面積を狭くしつつ、ノイズ除去の効果が低減することを抑制することができるタッチパネルシステムを提供することができる。
【０１７２】
本発明の態様４における電子機器は、態様１から３のいずれかのタッチパネルシステムを備えることを特徴としている。
【０１７３】
上記の構成によれば、表示部の額縁面積を狭くしつつ、ノイズ除去の効果が低減することを抑制することができるタッチパネルシステムを備えた電子機器を提供することができる。
【０１７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１７５】
１ａ〜１ｃ    タッチパネルシステム
３            タッチパネル
１１            フェーズ切替部（切替回路）
１１ａ          入力端子群
１１ｃ          出力端子群
１２ａ          差動増幅器（差動入力増幅回路）
４０            配線合流部
ＤＲＳＬ        両側センスライン（両側配線センスライン）
ＤＲＷ        両側配線
ＤＲＷ１      第１両側配線（第１経路配線）
ＤＲＷ２      第２両側配線（第２経路配線）
ＳＬＦ          第１センスライン
ＳＬＳ          第２センスライン
ＳＷＦ          第１センス配線（第１配線）
ＳＷＳ          第２センス配線（第２配線）
Ｉｎｐ１〜Ｉｎｐ２１  入力端子
【図１】
2019003378.tif 000003
【図２】
2019003378.tif 000004
【図３】
2019003378.tif 000005
【図４】
2019003378.tif 000006
【図５】
2019003378.tif 000007
【図６】
2019003378.tif 000008
【図７】
2019003378.tif 000009
【図８】
2019003378.tif 000010
【図９】
2019003378.tif 000011
【図１０】
2019003378.tif 000012
【図１１】
2019003378.tif 000013